(57)【要約】【課題】放電灯からの熱の影響を受け難くして温度上昇を低減し、信頼性及び寿命の向上を図ることができる放電灯点灯装置及び照明器具を提供する。【解決手段】放電灯点灯装置１０及び照明器具１００は、天井面に取り付けられることにより商用電源を受けて高周波電力に変換して、環状の放電灯１０４，１０５を点灯制御する。放電灯点灯回路部を構成する電子部品を実装したプリント基板が、天井面に対し垂直になるように環状の放電灯１０４，１０５の中心に配置されており、天井面に配置された配線設備に受電接続されることにより商用電源を受けるための一対の引掛刃を有し、プリント基板は、天井面に並行になるように受光素子２１を実装しており、環状の放電灯１０４，１０５を支持するアーム１０２，１０３を有し、アーム１０２，１０３は、セード１０６を取り付けるためのセード取付機構１１１を備えている。【選択図】図１
2010033750.tif 000002
【特許請求の範囲】
【請求項１】
天井面に取り付けられることにより商用電源を受けて高周波電力に変換して、環状の放電灯を点灯制御する放電灯点灯装置であって、
放電灯点灯回路部を構成する電子部品を実装したプリント基板が、前記天井面に対し垂直になるように前記環状の放電灯の中心に配置されており、
前記天井面に配置された配線設備に受電接続されることにより前記商用電源を受けるための一対の引掛刃を有し、
前記プリント基板は、前記天井面に並行になるように受光素子を実装しており、
前記環状の放電灯を支持するアームを有し、前記アームは、セードを取り付けるためのセード取付機構を備えていることを特徴とする放電灯点灯装置。
【請求項２】
前記受光素子は、前記環状の放電灯よりも前記天井面に対向する床面側に配置されていることを特徴とする請求項１記載の放電灯点灯装置。
【請求項３】
請求項１または２記載の放電灯点灯装置を具備したことを特徴とする照明器具。
【発明の詳細な説明】
【技術分野】
【０００１】
本発明は、環状の放電灯を制御する放電灯点灯装置及び照明器具に関する。
【背景技術】
【０００２】
従来の放電灯点灯装置及び照明器具の一例として、器具本体、放電灯点灯装置、器具本体カバー、引掛刃(本体ジョイント)、環状の蛍光灯、セードから構成されたものがある。
このような従来の放電灯点灯装置及び照明器具は、天井面に取り付ける際、まず引掛刃を取り付け、それから器具本体を引掛刃付の本体ジョイントに嵌合させるようにしている。
【０００３】
従来の放電灯点灯装置及び照明器具の他の一例として、電球型口金を有しているものがある（例えば、特許文献１参照）。
このような従来の放電灯点灯装置及び照明器具は、容易に取り付けができる。また、連結用ソケットを有しているので容易に照明を増設できる。
【０００４】
従来の放電灯点灯装置及び照明器具のさらに他の一例として、薄型化や梱包の簡素化を行えるようにしたものがある（例えば、特許文献２参照）。
【特許文献１】特開２００７−１３４０７４号公報（図１、段落番号００１１）
【特許文献２】特開２００５−２３５５９８号公報（図１、段落番号００４２）
【発明の開示】
【発明が解決しようとする課題】
【０００５】
近年、照明器具に装備される放電灯点灯装置は、目立たないように小型化、薄型化のニーズが高まってきており、これを実現するためにも回路部品の温度上昇、放電灯自体からの熱の影響を抑制することが大きな課題になってきている。
【０００６】
しかし、従来の放電灯点灯装置および照明器具においては、環状の蛍光灯を制御する放電灯点灯装置がランプ内径に沿うように配置されており、放電灯点灯装置を構成する部品は放電灯点灯時には、部品自身も損失による発熱している上、放電灯自体が発する熱の影響を受けやすい。加えて、点灯器具本体の構造が複雑であり、器具の天井面への取り付けが複雑である。
【０００７】
上記特許文献１に開示された放電灯点灯装置および照明器具においては、小型化、薄型のニーズに対応できておらず、照明器具のデザイン性を考えた場合、デザインの拡張性がない。
【０００８】
上記特許文献２に開示された放電灯点灯装置および照明器具においては、照明器具のデザイン性を考えた場合、デザインに拡張性がない。また、リモコン制御部が放電灯に近い位置にあるため、リモコン受光性能を確保することがし難い。そして、放電灯点灯回路部の部品の内、放電灯側に配置された部品は、部品自体の発熱に加え、放電灯からの幅射熱の影響を受けるため、信頼性や寿命を確保することが難しい。さらに、環状の放電灯の一部が器具本体のアームに入っているため、放電灯の光の一部を遮蔽しているおり、光出力／消費電力である光効率の悪化が懸念される。
【０００９】
本発明は、前述した要望を満たすためになされたもので、その目的は、放電灯からの熱の影響を受け難くして温度上昇を低減し、信頼性及び寿命の向上を図ることができる放電灯点灯装置及び照明器具を提供することにある。特に、比較的定格電力の大きな放電灯を負荷とするのに適した放電灯点灯装置を提供でき、器具本体構造の簡素化を行なってコスト低減を可能にし、器具の天井面への取り付けの際、取り付けを容易に行うことができ、デザイン面において拡張性があり、リモコン受光部の受信性能の向上を図ることができる放電灯点灯装置及び照明器具を提供することにある。
【課題を解決するための手段】
【００１０】
本発明の放電灯点灯装置は、天井面に取り付けられることにより商用電源を受けて高周波電力に変換して、環状の放電灯を点灯制御する放電灯点灯装置であって、放電灯点灯回路部を構成する電子部品を実装したプリント基板が、前記天井面に対し垂直になるように前記環状の放電灯の中心に配置されており、前記天井面に配置された配線設備に受電接続されることにより前記商用電源を受けるための一対の引掛刃を有し、前記プリント基板は、前記天井面に並行になるように受光素子を実装しており、前記環状の放電灯を支持するアームを有し、前記アームは、セードを取り付けるためのセード取付機構を備えていることを特徴とする。
【００１１】
本発明においては、放電灯点灯回路部を構成する電子部品を実装したプリント基板が、天井面に対し垂直になるように環状の放電灯の中心に配置されていることにより、比較的定格電力の大きな放電灯を負荷としたとしても、放電灯からの熱の影響を受け難い。
よって、温度上昇を低減し、信頼性及び寿命の向上を図ることができる。
【００１２】
本発明においては、天井面に配置された配線設備に受電接続されることにより商用電源を受けるための一対の引掛刃を有するために、放電灯点灯装置を環状の放電灯の中心に配置したとしても、引掛刃を配線設備に受電接続する取付け時の施工性を阻害することがない。
【００１３】
本発明においては、プリント基板は、天井面に並行になるように受光素子を実装しているために、リモコン受光部の受信性能の向上を図ることができる。
【００１４】
本発明においては、環状の放電灯を支持するアームを有し、アームは、セードを取り付けるためのセード取付機構を備えているために、器具本体構造の簡素化を行なってコスト低減を可能にし、器具の天井面への取り付けの際、取り付けを容易に行うことができ、デザイン面において拡張性を付与することができる。
【００１５】
本発明の放電灯点灯装置は、前記受光素子は、前記環状の放電灯よりも前記天井面に対向する床面側に配置されていることを特徴とする。
【００１６】
本発明においては、受光素子を環状の放電灯よりも床面側に配置することにより、放電灯点灯装置の高背化を図った際に、環状の放電灯が発生する光ノイズの入射を抑えることができるため、リモコン受信性能を向上させた上で、ランプイメージの悪化を改善することができる。
【００１７】
本発明の照明器具は、本発明の放電灯点灯装置を具備したことを特徴とする。
【００１８】
本発明においては、温度上昇を低減し、信頼性及び寿命の向上を図ることができる放電灯点灯装置を備えた照明器具を得ることができる。
【発明の効果】
【００１９】
本発明の放電灯点灯装置及び照明器具によれば、放電灯点灯回路部を構成する電子部品を実装したプリント基板が、天井面に対し垂直になるように環状の放電灯の中心に配置されており、天井面に配置された配線設備に受電接続されることにより商用電源を受けるための一対の引掛刃を有し、プリント基板は、天井面に並行になるように受光素子を実装しており、環状の放電灯を支持するアームを有し、アームは、セードを取り付けるためのセード取付機構を備えている。
これにより、放電灯からの熱の影響を受け難くして温度上昇を低減し、信頼性及び寿命の向上を図ることができるとともに、比較的定格電力の大きな放電灯を負荷とすることができ、器具本体構造の簡素化を行なってコスト低減を可能にし、器具の天井面への取り付けの際、取り付けを容易に行うことができ、デザイン面において拡張性があり、リモコン受光部の受信性能の向上を図ることができる放電灯点灯装置及び照明器具を得ることができるという効果を有する。
【発明を実施するための最良の形態】
【００２０】
以下、本発明の複数の実施形態に係る放電灯点灯装置及び照明器具について、図面を参照して説明する。
【００２１】
（第１実施形態）
図１、図２に示すように、本発明の第１実施形態の照明器具１００は、Ｉ字形状をなす一対のアーム１０２，１０３を有して不図示の天井面に並行に配置される器具本体１０１と、環状の蛍光灯（２重管環状形蛍光灯）１０４，１０５と、蛍光灯１０４，１０５からの光を拡散させるための半透明のセード１０６と、蛍光灯１０４，１０５の中心に配置されケース１１に収容された放電灯点灯装置１０と、を備えている。
【００２２】
アーム１０２，１０３は、それらの先端部にランプ支持部品１０７，１０８を有し、ランプ支持部品１０７，１０８により蛍光灯１０４，１０５を器具本体１０１に取り付ける。
【００２３】
図３にも示すように、セード１０６は、湾曲形状をなすセード本体１０９の外周縁部にセード本体１０９からＬ字形状に屈曲された円環形状のフランジ１１０を有する。
【００２４】
アーム１０２，１０３は、それらの先端部に、セード取付機構１１１をそれぞれ備えている。
【００２５】
セード取付機構１１１は、弾性部材（例えば、ねじりコイルばね）１１２，１１３を介してアーム１０２，１０３のガイド孔１１４，１１５内に挿入されている基部１１６，１１７と、基部１１６，１１７の外方に二股形状に形成されていて、上方に配置された押圧レバー１１８，１１９と、下方に配置された係止突部１２０，１２１とを有する。
【００２６】
次に、セード取付機構１１１によるセード１０６の取付手順について説明する。
【００２７】
まず、両押圧レバー１１８，１１９を内方に向けてそれぞれ押圧する。内方に向けて押圧された両レバー１１８，１１９は、弾性部材１１２，１１３に抗して外径を小さくするようにそれぞれ移動する。
【００２８】
両押圧レバー１１８，１１９を内方に向けてそれぞれ押圧することにより、係止突部１２０，１２１の外径がセード１０６のフランジ１１０の内径よりも小さくなったところで、セード１０６を上方に向けて押圧していき、フランジ１１０を押圧レバー１１８，１１９に当接させる。
【００２９】
次に、両押圧レバー１１８，１１９への押圧を中止する。これにより、両押圧レバー１１８，１１９は、弾性部材１１２，１１３に蓄積されている弾性反発力により外方へ押し出される。
【００３０】
そして、両押圧レバー１１８，１１９が外方へ押し出されることにより、係止突部１２０，１２１がセード１０６のフランジ１１０の下方側にそれぞれ入り込み、フランジ１１０を係止することになる。
【００３１】
これにより、セード１０６を器具本体１０１に脱落不能に取り付けることができる。
【００３２】
図４にも示すように、放電灯点灯装置１０は、四角形の第１プリント基板１２と、同じく四角形の第２プリント基板１３と、を備えている。
【００３３】
第１プリント基板１２は放電灯点灯回路部１４を搭載している。放電灯点灯回路部１４は、具体的に、ラインフィルタ及びコンデンサからなりコネクタを介して商用電源に接続する電源帰還ノイズ低減用のフィルタ回路と、ダイオードブリッジからなる整流回路と、スイッチング素子，チョークコイル，ダイオード及びコンデンサで構成され商用電源からの入力電流歪率を低減するための昇圧チョッパ回路と、平滑コンデンサを並列接続した平滑回路と、一対のスイッチング素子，チョークコイル，出力用のトランス，予熱電流供給用のトランス，コンデンサで構成され平滑回路から出力される直流出力を高周波の交流出力に変換するインバータ回路と、昇圧チョッパ回路のスイッチング素子をオンオフ制御するチョッパ制御回路と、インバータ回路のスイッチング素子をオンオフするための制御信号を作成するインバータ制御回路と、インバータ制御回路からの制御信号に応じて各スイッチング素子をオンオフ駆動するドライバ回路と、チョッパ制御回路，インバータ制御回路及びドライバ回路の動作電源を供給する電源回路と、コネクタ１５，１６と、からなる複数の電子部品１７で構成されている。
【００３４】
第１プリント基板１２は、その短辺１８を天井面に接するように配置しており、その長片１９を天井面に対し垂直になるように配置している。
【００３５】
第２プリント基板１３は、第１プリント基板１２の下方の短辺２０側に、第１プリント基板１２に直交するように床面に対向して配置されている。
【００３６】
第２プリント基板１３には、その床面側に、受光素子２１と、常夜灯用のＬＥＤ２２と、赤外線リモコン信号のチャンネル切替えを行うための操作スイッチ２３と、を実装している。受光素子２１は、蛍光灯１０４，１０５よりも床面側に配置される。
【００３７】
図５にも示すように、放電灯点灯装置１０は、ケース１１の外郭の上面２４に一対の引掛刃２５をそれぞれ突出形成している。
【００３８】
一対の引掛刃２５は、天井面に配置されている引掛シーリングに受電接続されることにより、放電灯点灯装置１０の放電灯点灯回路部１４に商用電源を電気的に接続する。
【００３９】
前述した第１実施形態の放電灯点灯装置１０によれば、放電灯点灯回路部１４を構成する電子部品１７を実装した第１プリント基板１２が、天井面に対し垂直になるように蛍光灯１０４，１０５の中心に配置されている。
これにより、比較的定格電力の大きな蛍光灯１０４，１０５を負荷としたとしても、蛍光灯１０４，１０５からの熱の影響を受け難いために、温度上昇を低減し、信頼性及び寿命の向上を図ることができる。
【００４０】
また、第１実施形態の放電灯点灯装置１０によれば、天井面に配置された配線設備に受電接続されることにより商用電源を受けるための一対の引掛刃２５を有するために、放電灯点灯装置１０を蛍光灯１０４，１０５の中心に配置したとしても、引掛刃２５を配線設備に受電接続する取付け時の施工性を阻害することがない。
【００４１】
そして、第１実施形態の放電灯点灯装置１０によれば、第２プリント基板１３は、天井面に並行になるように受光素子２１を実装しているために、リモコン受光部の受信性能の向上を図ることができる。
【００４２】
さらに、第１実施形態の放電灯点灯装置１０によれば、蛍光灯１０４，１０５を支持するアーム１０２，１０３を有し、アーム１０２，１０３は、セード１０６を取り付けるためのセード取付機構１１１を備えているために、器具本体１０１の簡素化を行なってコスト低減を可能にし、天井面への取り付けの際、取り付けを容易に行うことができ、デザイン面において拡張性を付与することができる。
【００４３】
加えて、第１実施形態の放電灯点灯装置１０によれば、受光素子２１を蛍光灯１０４，１０５よりも床面側に配置することにより、放電灯点灯装置１０の高背化を図った際に、蛍光灯１０４，１０５が発生する光ノイズの入射を抑えることができるため、リモコン受信性能を向上させた上で、ランプイメージの悪化を改善することができる。
【００４４】
第１実施形態の照明器具１００によれば、温度上昇を低減し、信頼性及び寿命の向上を図ることができる放電灯点灯装置１０を備えた照明器具１００を得ることができる。
【００４５】
（第２実施形態）
次に、本発明の第２実施形態の放電灯点灯装置及び照明器具について説明する。なお、以下の実施形態において、上述した第１実施形態と重複する構成要素や機能的に同様な構成要素については、図中に同一符号あるいは相当符号を付することによって説明を簡略化あるいは省略する。
【００４６】
図６に示すように、本発明の第２実施形態の照明器具２００は、セード１０６のフランジ１１０の対向する位置にアーム取付用の一対の切欠部１２２，１２３を有する。
【００４７】
図７にも示すように、セード取付機構１１１は、アーム１０２，１０３の外方に、蛍光灯１０４，１０５の中心に向けて切除された凹溝１２４，１２５を形成したセード取付突部１２６，１２７を有する。
【００４８】
次に、本実施形態のセード取付機構１１１によるセード１０６の取付手順について説明する。
【００４９】
まず、セード１０６を、アーム１０２，１０３のセード取付突部１２６，１２７に対して押圧しながら回動させる。
【００５０】
次に、セード１０６を回動させながら、セード１０６の切欠部１２２，１２３をセード取付突部１２６，１２７に合わせたところで回動を中止し、さらに上方に向けて押圧してから、セード１０６を再度回動させる。
【００５１】
これにより、セード取付突部１２６，１２７の凹溝１２４，１２５に切欠部１２２，１２３のないフランジ１１０が入り込むことにより、フランジ１１０を係止して、セード１０６を器具本体１０１に脱落不能に取り付けることができる。
【００５２】
第２実施形態の照明器具２００は、第１実施形態と同様の作用効果を有する。特に本実施形態によれば、セード１０６の器具本体１０１への取付けを片手で行うことができるので、簡単な取付けを行うことができる。
【００５３】
なお、前記各実施形態で使用した蛍光灯１０４，１０５、ランプ支持部品１０７，１０８等は例示したものに限定するものではなく適宜変更が可能である。
【図面の簡単な説明】
【００５４】
【図１】本発明に係る第１実施形態の照明器具の分解斜視図
【図２】図１の照明器具の側面図
【図３】図１の照明器具のセード取付機構の側面図
【図４】図１の放電灯点灯装置の内部構造を説明する外観図
【図５】図４の放電灯点灯装置の外観図
【図６】本発明に係る第２実施形態の照明器具に適用されるセードの底面図
【図７】図６の照明器具のセード取付機構の側面図
【符号の説明】
【００５５】
１０  放電灯点灯装置
１１  ケース
１２  第１プリント基板（プリント基板）
１３  第２プリント基板（プリント基板）
１４  放電灯点灯回路部
１７  電子部品
２５  引掛刃
１００、２００  照明器具
１０２、１０３  アーム
１０４、１０５  蛍光灯（放電灯）
１０６  セード
１１１  セード取付機構
【図１】
2010033750.tif 000003
【図２】
2010033750.tif 000004
【図３】
2010033750.tif 000005
【図４】
2010033750.tif 000006
【図５】
2010033750.tif 000007
【図６】
2010033750.tif 000008
【図７】
2010033750.tif 000009